(57)【特許請求の範囲】
【請求項１】
プッシュ操作スイッチ部又は揺動操作スイッチ部の少なくともいずれか一方を形成した操作スイッチ装置であって、上面に複数の開口部を設けた略箱状のケースと、上記開口部に上下動可能に収納された押圧体と、この押圧体の上下動に伴い電気的接離が行われるスイッチ接点からなり、上記押圧体の側面に軸部を設けると共に、上記押圧体下部の側面に略円弧状の当接部を設けて、上記押圧体の上記軸部に係合する保持部を設けたプッシュ操作用の操作体を上記押圧体の上方に配置してプッシュ操作スイッチ部を形成し、隣合う上記押圧体の各上記軸部に対応して各々係合する保持部を設けた揺動操作用の操作体を上記押圧体の上方に配置すると共に、上記隣合う上記押圧体の上記当接部に、両端部が近接する略小判状の操作補助体を上記ケースに回転可能に配設して揺動操作スイッチ部を形成した操作スイッチ装置。
【請求項２】
押圧体側面の軸部の断面形状を略小判状として、操作体の保持部を上記軸部の断面形状に対しやや大きい凹状にして、係合する上記軸部を回動不能に保持してプッシュ操作スイッチ部を形成し、操作体の保持部を略円形の凹状にして、係合する上記軸部を回動可能に保持して揺動操作スイッチ部を形成した請求項１記載の操作スイッチ装置。
【発明の詳細な説明】
【技術分野】
【０００１】
本発明は、主に自動車のステアリングやフロントパネルに装着され、音響や空調機器等の操作に用いられる操作スイッチ装置に関するものである。
【背景技術】
【０００２】
近年、車室内のステアリングやフロントパネルに揺動操作型やプッシュ操作型のスイッチ部を配置し、これらのスイッチ部によってオーディオやエアコン等の各種電子機器の操作を行う操作スイッチ装置が増えている。
【０００３】
このような従来の操作スイッチ装置について、図８〜図１０を用いて説明する。
【０００４】
図８及び図９は従来の操作スイッチ装置の断面図、図１０は同外観斜視図であり、図１０において、片側には「Ｍｏｄｅ」や「Ｍｕｔｅ」が各々表示された操作体１、２を装着したプッシュ操作スイッチ部が配置され、片側には上面に「Ｖｏｌｕｍｅ」が表示された操作体３を装着した揺動操作スイッチ部が配置されており、図８にプッシュ操作スイッチ部の断面を、図９に揺動操作スイッチ部の断面を各々記載している。
【０００５】
そして、図８において、４は絶縁樹脂製の内ケースで、上面には筒状に突出した開口部４Ａが左右方向に並んで形成され、この各開口部４Ａ内に下面開口で略箱状の操作体１及び２が上下動可能に装着されている。
【０００６】
また、５は上下面に複数の導電パターン（図示せず）が形成された配線基板で、配線基板５上面には、上方に付勢された押釦６Ａを有する複数のプッシュスイッチ６が実装されている。
【０００７】
さらに、操作体１、２の下面には押圧部１Ａ、２Ａが各々突出して、押圧部１Ａ、２Ａ下端が配線基板５に実装された左右のプッシュスイッチ６の各押釦６Ａに当接している。
【０００８】
そして、７は略箱状のカバーで、このカバー７が内ケース４や配線基板５などを覆うと共に、カバー７上面の開口部７Ａから操作体２、３の上面が突出してプッシュ操作スイッチ部が形成されている。
【０００９】
次に、図９において、内ケース４の上面中央に設けた凹状の軸受け部４Ｂに、操作体３の下面中央から下方へ突出した軸部３Ａが軸支されて、操作体３が内ケース４に揺動可能に保持されている。
【００１０】
そして、８は内ケース４の略筒状のガイド部４Ｃ内に上下動可能に挿通された略柱状の押圧子で、操作体３下面の両端近傍から突出した押圧部３Ｂが押圧子８を介して、プッシュスイッチ６の押釦６Ａ上面に当接している。
【００１１】
また、カバー７の開口部７Ｂから操作体３上面が突出して揺動操作スイッチ部が形成されると共に、この揺動操作スイッチ部とプッシュ操作スイッチ部が並んで配置されて操作スイッチ装置が構成されている。
【００１２】
なお、上述のように、内ケース４の形状において、プッシュ操作スイッチ部の開口部４Ａに対し、揺動操作スイッチ部のガイド部４Ｃと軸受け部４Ｂというように、互いに形状が異なるものとなっている。
【００１３】
また、このような操作スイッチ装置は車室内のステアリングやフロントパネルに装着され、プッシュスイッチ６等が配線基板５を介して、オーディオやエアコン等の各種電子機器や、自動車の電子回路（図示せず）に電気的に接続される。
【００１４】
以上の構成において、例えば、図１０に示すように、プッシュ操作スイッチ部の「Ｍｏｄｅ」が表示された操作体１上面を押圧すると、操作体１が下降すると共に、押圧部１Ａがプッシュスイッチ６の押釦６Ａをその付勢力に逆らって押圧する。
【００１５】
そして、押圧された右方のプッシュスイッチ６の電気的接離が行われ、例えば、オーディオのモード、即ちラジオやＣＤ、及びＭＤなどが切換えられる。
【００１６】
また、例えば、図１０に示すように、揺動操作スイッチ部の「Ｖｏｌｕｍｅ」が表示された操作体３上面の右方を押圧操作すると、操作体３が軸部３Ａを中心として時計方向に揺動し、右側の押圧部３Ｂが押圧子８を介してプッシュスイッチ６の押釦６Ａをその付勢力に逆らって押圧する。
【００１７】
そして、押圧された右方のプッシュスイッチ６の電気的接離が行われ、例えば、オーディオの音量が大きくなる。
【００１８】
なお、この出願の発明に関連する先行技術文献情報としては、例えば、特許文献１が知られている。
【特許文献１】特開２００５−２７６６５０号公報
【発明の開示】
【発明が解決しようとする課題】
【００１９】
しかしながら上記従来の操作スイッチ装置においては、装着される自動車の車種やグレードによって、揺動操作スイッチ部やプッシュ操作スイッチ部の配置が異なるものや、揺動操作スイッチ部のみや、あるいはプッシュ操作スイッチ部のみで構成される場合があり、このような操作形態の配置が多様な操作スイッチ装置に対応するには、それらの異なる構成に応じて都度、異なる形状の内ケース４を作製する必要があり、高価なものになり易いという課題があった。
【００２０】
本発明は、このような従来の課題を解決するものであり、簡易な構成で内ケースの共用化が図れ、安価で操作形態の多様な配置が可能な操作スイッチ装置を提供することを目的とする。
【課題を解決するための手段】
【００２１】
上記目的を達成するために本発明は、以下の構成を有するものである。
【００２２】
本発明の請求項１に記載の発明は、プッシュ操作スイッチ部又は揺動操作スイッチ部の少なくともいずれか一方を形成した操作スイッチ装置であって、上面に複数の開口部を設けた略箱状のケースと、上記開口部に上下動可能に収納された押圧体と、この押圧体の上下動に伴い電気的接離が行われるスイッチ接点からなり、上記押圧体の側面に軸部を設けると共に、上記押圧体下部の側面に略円弧状の当接部を設けて、上記押圧体の上記軸部に係合する保持部を設けたプッシュ操作用の操作体を上記押圧体の上方に配置してプッシュ操作スイッチ部を形成し、隣合う上記押圧体の各上記軸部に対応して各々係合する保持部を設けた揺動操作用の操作体を上記押圧体の上方に配置すると共に、上記隣合う上記押圧体の上記当接部に、両端部が近接する略小判状の操作補助体を上記ケースに回転可能に配設して揺動操作スイッチ部を形成して操作スイッチ装置を構成したものであり、例えば、１つの押圧体の軸部に１つの操作体の保持部を係合させ、操作体を押圧操作することにより操作体と押圧体が共に上下動するプッシュ操作スイッチ部を形成し、あるいは、２つの並んだ押圧体の上方に１つの操作体を配置して、これらの押圧体の各軸部に対応して操作体に設けた２つの保持部を係合させ、操作体を押圧操作することにより操作体が揺動する揺動操作スイッチ部を形成することが、内ケースや押圧体を共用してできるため、簡易な構成で、安価で操作形態の多様な配置が可能な操作スイッチ装置を得ることができるという作用を有する。
また、加えて、押圧体下部の側面に略円弧状の当接部を設けると共に、隣合う押圧体の当接部に両端部が近接する略小判状の操作補助体を回転可能に配設することによって、両押圧体上方に操作体を配置して、操作体の左右のいずれか一方が押圧操作された時には、押圧された押圧体が下降して操作補助体が回転し操作体が揺動するが、両方の押圧体が同時に押圧操作された時には、各押圧体の対向する側面が近接する操作補助体に当接して押圧体が下降できないため、操作体の略中央を押圧操作した場合には動作しないようにして確実な操作が可能な揺動操作スイッチ部にすることができるという作用を有する。
【００２３】
請求項２に記載の発明は、請求項１記載の発明において、押圧体側面の軸部の断面形状を略小判状として、操作体の保持部を上記軸部の断面形状に対しやや大きい凹状にして、係合する上記軸部を回動不能に保持してプッシュ操作スイッチ部を形成し、操作体の保持部を略円形の凹状にして、係合する上記軸部を回動可能に保持して揺動操作スイッチ部を形成したものであり、プッシュ操作スイッチ部を形成する場合には、保持体を操作した時のがたつきを少ないものにすることができ、揺動操作スイッチ部を形成する場合には、円滑な揺動操作が可能で、揺動操作やプッシュ操作の際に確実な操作が可能なものにすることができるという作用を有する。
【発明の効果】
【００２５】
以上のように本発明によれば、簡易な構成により、安価で操作形態の多様な配置が可能な操作スイッチ装置を得られるという有利な効果が得られる。
【発明を実施するための最良の形態】
【００２６】
以下、本発明の実施の形態について、図１〜図７を用いて説明する。
【００２７】
なお、従来の技術の項で説明した構成と同一構成の部分には同一符号を付して、詳細な説明を簡略化する。
【００２８】
（実施の形態）
図１及び図２は本発明の一実施の形態による操作スイッチ装置の断面図、図３は同分解斜視図、及び図４は同外観斜視図であり、図４（ａ）において、片側には「Ｍｏｄｅ」や「Ｍｕｔｅ」が各々表示された操作体１７、１６を装着したプッシュ操作スイッチ部が配置され、片側には上面に「Ｖｏｌｕｍｅ」が表示された操作体１８を装着した揺動操作スイッチ部が配置されており、プッシュ操作スイッチ部の断面を図１に、揺動操作スイッチ部の断面を図２に各々記載している。
【００２９】
図１において、１１はポリオキシメチレンやＡＢＳなどの絶縁樹脂製で略箱状の内ケースで、この上面には所定の間隔で同形状の複数の開口部１１Ａが設けられている。
【００３０】
そして、１２はポリオキシメチレンやＡＢＳなどの絶縁樹脂製で略筒状の押圧体で、内側に貫通部１２Ａが設けられると共に、上方の内側面には断面が略小判状の軸部１２Ｂが互いに対向して突出し、各押圧体１２が内ケース１１の各開口部１１Ａ内に上下動可能に収納されている。
【００３１】
また、１３は紙フェノール樹脂やガラスエポキシ樹脂などの絶縁樹脂製の配線基板で、上下面に複数の導電パターン（図示せず）が形成されると共に、上面にはスイッチ接点として上方に付勢された押釦１４Ａを有するプッシュスイッチ１４や各種電子部品が実装されている。
【００３２】
さらに、１６、１７はポリカーボネートやＡＢＳなどの絶縁樹脂製で略蓋状の操作体で、下面に保持体１６Ａや１７Ａが延出すると共に、それらの下部には図５（ａ）の要部拡大図に示すように、軸部１２Ｂの断面形状よりやや大きい形状で凹状の保持部１６Ｂや１７Ｂが形成されている。
【００３３】
そして、保持部１６Ｂ、１７Ｂが各押圧体１２の軸部１２Ｂに係合して、操作体１６、１７が押圧体１２に対して回動やがたつきが規制されて保持されている。
【００３４】
また、押圧体１２下端がプッシュスイッチ１４の押釦１４Ａ上面に当接すると共に、押圧体１２上部の外周の肩部１２Ｃが内ケース１１の開口部１１Ａの内側に突出した段部１１Ｂに当接して、操作体１６、１７への押圧操作によって押圧体１２を介してプッシュスイッチ１４の電気的接離が行われるようにして、プッシュ操作スイッチ部が形成されている。
【００３５】
次に、図２に示す揺動操作スイッチ部において、内ケース１１前側に配置された２つの各開口部１１Ａに押圧体１２が上下動可能に収納され、配線基板１３に実装されたプッシュスイッチ１４の押釦１４Ａに押圧体１２下端が当接していることは、図１に示した上記プッシュ操作スイッチ部と同様である。
【００３６】
そして、１８はポリカーボネートやＡＢＳなどの絶縁樹脂製で略蓋状の操作体で、この下面の２箇所から保持体１８Ａが下方に延出すると共に、保持体１８Ａの下部には、図５（ｂ）に示すように、軸部１２Ｂの断面形状よりやや大きい直径の略円形で凹状の保持部１８Ｂが形成されている。
【００３７】
また、各保持部１８Ｂが対応する左右の押圧体１２の軸部１２Ｂに係合して、操作体１８が押圧体１２に対して回動可能に保持されている。
【００３８】
さらに、１９はポリオキシメチレンやＡＢＳなどの絶縁樹脂製で横長の略小判状の操作補助体であり、この前後側面に軸１９Ａが突出し、内ケース１１の外側面と内壁に設けた軸孔１１Ｃに軸１９Ａが係合して操作補助体１９が回転可能に内ケース１１に保持されている。
【００３９】
なお、押圧体１２下部の側面には略円弧状の当接部１２Ｄが形成されて、操作補助体１９上部の両側面の円弧部１９Ｂが左右の当接部１２Ｄに近接して配置されると共に、操作補助体１９が所定角度を回転可能に、操作補助体１９の円弧部１９Ｂと押圧体１２の当接部１２Ｄの形状が設定されている。
【００４０】
そして、操作体１８の左側または右側を押圧すると、押圧操作した側に操作体１８が揺動すると共にその下方の押圧体１２が下降し、押圧体１２が当接するプッシュスイッチ１４の押釦１４Ａを押圧して電気的接離が行われるようにして、揺動操作スイッチ部が形成されている。
【００４１】
さらに、２０は絶縁樹脂製で上下面開口のカバー、２１は同じく絶縁樹脂製の下ケースで、カバー２０と下ケース２１によってプッシュ操作スイッチ部と揺動操作スイッチ部が覆われて操作スイッチ装置が構成されている。
【００４２】
そして、このような構成の操作スイッチ装置は、車室内のステアリングやフロントパネルに装着され、プッシュスイッチ１４等が配線基板１３を介して、オーディオやエアコン等の各種電子機器や、自動車の電子回路（図示せず）に電気的に接続される。
【００４３】
以上の構成において、例えば、図４に示す、プッシュ操作スイッチ部の「Ｍｏｄｅ」が表示された操作体１７上面を押圧すると、図６の断面図に示すように、右方の操作体１７が下降すると共に、操作体１７が保持された右側の押圧体１２が当接するプッシュスイッチ１４の押釦１４Ａをその付勢力に逆らって押圧する。
【００４４】
そして、押圧されたプッシュスイッチ１４の電気的接離が行われ、例えば、オーディオのモード、即ちラジオやＣＤ、又はＭＤなどが選択されて切換えられる。
【００４５】
また、図４に示すように、揺動操作スイッチ部の「Ｖｏｌｕｍｅ」が表示された操作体１８上面の右方を押圧操作すると、図７の断面図に示すように、左側の押圧体１２の軸部１２Ｂを中心として保持部１８Ｂが回動して、操作体１８が時計方向に揺動し、右側の保持部１８Ｂを介して下方の押圧体１２が下降すると共に、この押圧体１２が当接するプッシュスイッチ１４の押釦１４Ａをその付勢力に逆らって押圧する。
【００４６】
そして、押圧されたプッシュスイッチ１４の電気的接離が行われ、例えば、オーディオの音量が大きくなる。
【００４７】
なお、この時、左右の押圧体１２の略中間の下方に配置された操作補助体１９は、右側の押圧体１２の下降に伴って、押圧体１２の左側面の当接部１２Ｄが操作補助体１９の右側の円弧部１９Ｂに当接し、操作補助体１９は軸１９Ａを中心に時計方向へ回転する。
【００４８】
そして、操作補助体１９が時計方向へ回転すると、左側の円弧部１９Ｂは左側の押圧体１２の右側面の当接部１２Ｄに沿って回転して、右側の押圧体１２のみ下降するようになっている。
【００４９】
また、図２に示すような未操作状態において、例えば、操作体１８の左右方向の略中間を押圧操作した場合には、左右の押圧体１２の両方が下降し始めるが、この時、両押圧体１２の間にある操作補助体１９上部の左右の円弧部１９Ｂに押圧体１２の当接部１２Ｄが同時に当接して、両押圧体１２は同時に下降はできない。
【００５０】
つまり、操作体１８の左側または右側を押圧操作した時には、押圧体１２の当接部１２Ｄにより操作補助体１９が回転して、押圧された側の押圧体１２だけが確実に下降するが、操作体１８の略中央を押圧操作した場合には、左右の押圧体１２が同時に下降できないようにして、確実な揺動操作が可能な揺動操作スイッチ部となっている。
【００５１】
また、図４（ａ）に示すように、操作スイッチ装置の右側に揺動操作スイッチ部を、左側にプッシュ操作スイッチ部を各々配置した構成から、図４（ｂ）に示すように、右側にプッシュ操作スイッチ部を、左側に揺動操作スイッチ部を各々配置した構成に変更する場合には、前側の各押圧体１２に操作体１６、１７を各々装着し、左側の隣合って並ぶ２つの押圧体１２に操作体１８を装着すると共に、左側の両押圧体１２の間に操作補助体１９を装着することにより、内ケース１１を共用して所望の操作スイッチ装置を実現することができる。
【００５２】
さらに、図４（ｃ）に示すように、全てをプッシュ操作スイッチ部にする場合には、片側に装着された操作体１８や操作補助体１９に代えて、操作体１６、１７と同様な形状の操作体を操作体１８下方に位置した押圧体１２に各々装着することにより、同じく内ケース１１を共用して所望の操作スイッチ装置を実現することができる。
【００５３】
このように本実施の形態によれば、略箱状の内ケース１１の上面に設けた複数の開口部１１Ａ内に、上下動可能に押圧体１２を収納し、この押圧体１２の上下動に伴い電気的接離が行われるプッシュスイッチ１４を配置して、押圧体１２の側面に軸部１２Ｂを設けると共に、押圧体１２の上方に配置した操作体１６、１７の保持部１６Ａ、１７Ａに軸部１２Ｂを係合させ、あるいは２つの並んだ押圧体１２の上方に配置した操作体１８の２つの保持体１８Ａに対応して軸部１２Ｂを係合させて操作スイッチ装置を構成することにより、操作体１６、１７とこれらに対応する押圧体１２によってプッシュ操作スイッチ部が、操作体１８とこれに対応する押圧体１２によって揺動操作スイッチ部が各々形成することが、内ケース１１や押圧体１２を共用してできるため、簡易な構成で、安価で操作形態の多様な配置が容易に可能な操作スイッチ装置を得ることができるものである。
【００５４】
そして、押圧体１２側面の軸部１２Ｂの断面形状を略小判状とすることにより、プッシュ操作スイッチ部を形成する場合には、操作体１６、１７の保持部１６Ａ、１７Ａを軸部１２Ｂの断面形状よりやや大きい形状で凹状にして、軸部１２Ｂに係合させて軸部１２Ｂに対し回動やがたつきを規制することによって、操作体を押圧操作した時のがたつきを少ないものにすることができ、また、揺動操作スイッチ部を形成する場合には、操作体１８の保持部１８Ｂを略円形の凹状にして軸部１２Ｂに係合させ、軸部１２Ｂに対し操作体１８が回動可能とすることによって、円滑な揺動操作が可能なものにすることができる。
【００５５】
また、押圧体１２下部の側面に略円弧状の当接部１２Ｄを設けると共に、隣合う押圧体１２の当接部１２Ｄに両端部が近接する略小判状の操作補助体１９を回転可能に配設することにより、両押圧体１２上方に操作体１８を配置して、操作体１８の左右のいずれか一方が押圧操作された時には、押圧された側の押圧体１２が下降して操作補助体１９が回転し操作体１８が揺動するが、両方の押圧体１２が同時に押圧された時には、各押圧体１２の当接部１２Ｄが操作補助体１９に当接して押圧体１２が下降できないため、操作体１８の左右方向の略中間を押圧操作された場合には動作しないようにして、確実な揺動操作が可能な揺動操作スイッチ部のものにすることができる。
【００５６】
さらに、以上の説明では、プッシュ操作用の操作体１６、１７の保持部１６Ｂ、１７Ｂの形状を、押圧体１２の略小判状の軸部１２Ｂよりやや大きくして、操作体１６Ａ，１７Ａの軸部１２Ｂに対する回動やがたつきを規制する構成として説明したが、軸部１２Ｂよりやや大きい略円形の凹状にして軸部１２Ｂに係合させると共に、操作体１６、１７の回動やがたつきは、カバー２０や内ケース１１との嵌合等によって規制するように構成しても、本発明の実施は可能である。
【００５７】
そして、以上の説明では、１つの押圧体１２に対応して１つの操作体１６または１７を上方に装着してプッシュ操作スイッチ部を構成するものとして説明したが、２つ以上の押圧体１２を同時に押圧操作可能な操作体をこれら押圧体１２に装着して、大きい動作荷重のものや、同時に多くの機能を制御可能なものにしても良い。
【００５８】
また、スイッチ接点として上方に付勢された押釦１４Ａを有するプッシュスイッチ１４を用いた構成について説明したが、配線基板に固定接点を設け、ゴム等の下面に可動接点を設けてスイッチ接点を形成したものや、同じく配線基板の固定接点上に略ドーム状で導電金属製の可動接点を載置させてスイッチ接点を形成したものなど、押圧体１２を上方に付勢するものであれば様々な構成のスイッチを用いても良い。
【００５９】
なお、押圧体１２に貫通部１２Ａを設けることにより、貫通部１２Ａ下方の配線基板１３にＬＥＤなどの発光体を実装すると共に、操作体１６、１７または１８を透光性の絶縁材料で上面に周囲を不透光に着色した透光性の記号やシンボルなどの表示を設けて、発光体を発光させると、その光が貫通部１２Ａを通して操作体１６、１７または１８上面の表示が照光されるため、周囲が暗い場合にでも操作体の識別が容易なものにすることができる。
【産業上の利用可能性】
【００６０】
本発明による操作スイッチ装置は、簡易な構成で、安価で操作形態の多様な配置が容易に可能な操作スイッチ装置を提供することができるという効果を有し、主に自動車のステアリングやフロントパネルに装着され、各種電子機器の操作に用いられる操作スイッチ装置等に有用である。
【図面の簡単な説明】
【００６１】
【図１】本発明の一実施の形態による断面図
【図２】同断面図
【図３】同分解斜視図
【図４】同斜視図
【図５】同要部拡大図
【図６】同動作を示す断面図
【図７】同動作を示す断面図
【図８】従来の操作スイッチ装置の断面図
【図９】同断面図
【図１０】同斜視図
【符号の説明】
【００６２】
１１  内ケース
１１Ａ  開口部
１１Ｂ  段部
１１Ｃ  軸孔
１２  押圧体
１２Ａ  貫通部
１２Ｂ  軸部
１２Ｃ  肩部
１２Ｄ  当接部
１３  配線基板
１４  プッシュスイッチ
１４Ａ  押釦
１６、１７、１８  操作体
１６Ａ、１７Ａ、１８Ａ  保持体
１６Ｂ、１７Ｂ、１８Ｂ  保持部
１９  操作補助体
１９Ａ  軸
１９Ｂ  円弧部
２０  カバー
２１  下ケース
【図１】
0004706545.tif 000002
【図２】
0004706545.tif 000003
【図３】
0004706545.tif 000004
【図４】
0004706545.tif 000005
【図５】
0004706545.tif 000006
【図６】
0004706545.tif 000007
【図７】
0004706545.tif 000008
【図８】
0004706545.tif 000009
【図９】
0004706545.tif 000010
【図１０】
0004706545.tif 000011